(57)【要約】      （修正有）【課題】簡便に跳馬の練習が可能な跳馬練習用エアマット及びそれを有する跳馬練習セットを提供する。【解決手段】内部に空気を導入することでエアマットとして利用可能な本体１０と、本体１０の内部に空気を導入するための送風口２０とを有し、本体１０に空気を導入した状態で水平な床上に設置したとき、本体１０の上面は略水平かつ略四角形であり、本体１０の上面の周縁部であって前記略四角形を形成する１つの辺に、本体１０の上面より１０ｃｍ以上高いサポート部１１が設けられており、それと相対する辺は、本体１０の上面と同じ高さである。【選択図】図１
2015198728.tif 000002
【特許請求の範囲】
【請求項１】
内部に空気を導入することでエアマットとして利用可能な本体と、前記本体の内部に空気を導入するための送風口とを有し、
前記本体に空気を導入した状態で水平な床上に設置したとき、前記本体の上面は略水平かつ略四角形であり、
前記本体の上面の周縁部であって前記略四角形を形成する１つの辺に、前記本体の上面より１０ｃｍ以上高いサポート部が設けられており、それと相対する辺は、前記本体の上面と同じ高さである跳馬練習用エアマット。
【請求項２】
前記本体の上面の周縁部であって前記サポート部が設けられている辺に隣り合う２つの辺に、前記本体の上面より１０ｃｍ以上高いガイド部が設けられている請求項１に記載の跳馬練習用エアマット。
【請求項３】
前記本体の高さを調整するための高さ調整機構をさらに有する請求項１又は２に記載の跳馬練習用エアマット。
【請求項４】
前記本体の内部が複数の空間に区切られており、そのそれぞれに空気を導入するための送風口が設けられている請求項１〜３のいずれか１項に記載の跳馬練習用エアマット。
【請求項５】
前記送風口と前記本体の接続部には、前記本体の内部の空気が外部へ漏れないようにする逆止弁が設けられている請求項１〜４のいずれか１項に記載の跳馬練習用エアマット。
【請求項６】
前記サポート部が設けられている辺と相対する辺を含む本体の側面に、前記送風口が設けられている請求項１〜５のいずれか１項に記載の跳馬練習用エアマット。
【請求項７】
前記本体の少なくとも一部が、通気穴を設けた複数の袋体を、その通気穴が連通するように結合させて構成されたものである請求項１〜６のいずれか１項に記載の跳馬練習用エアマット。
【請求項８】
内部の空気を排出するための開閉自在な排出口をさらに有する請求項１〜７のいずれか１項に記載の跳馬練習用エアマット。
【請求項９】
請求項１〜８のいずれか１項に記載の跳馬練習用エアマットと、送風機、着地マット、跳馬、及び踏切板の少なくとも１つとを有する跳馬練習セット。
【発明の詳細な説明】
【技術分野】
【０００１】
本発明は、跳馬練習用エアマット及びそれを有する跳馬練習セットに関する。
【背景技術】
【０００２】
体操競技の１つとして跳馬という競技がある。この競技では、競技者は、（１）助走する、（２）踏切板で踏み切る、（３）跳馬に手を突いて飛び出す、（４）空中で体を回転させたり捻ったりする、（５）足から着地する、の流れで演技をする。特に、空中での体の回転や捻りの難易度及び出来栄えは得点に大きく影響するので、競技者はそれを中心に練習する。
【０００３】
空中での体の回転や捻りの練習方法として、いわゆる「背落ち」という練習方法が知られている。すなわち、跳馬に手を突いて飛び出した後、空中で体を回転させたり捻ったりし、そのまま背中からマットに落ちる練習である。この練習では、着地マットを床面より高い位置に設置する必要があるため、従来は、一般的な体操マットを数枚重ねた土台を作り、その上に着地マットを設置していた。
【０００４】
一方、体操の競技練習などの運動に使用できる運動用エアートランポリンが知られている。特許文献１には、側面に通気穴を設けた複数の袋体の側面を互いに結合して構成されたマットと、前記袋体の少なくとも１つに設けた送風口と、前記送風口に接続して前記送風口に空気を導入可能な送風機とを有し、前記複数の袋体に前記送風機により空気を導入して前記マットを水平な床上に設置したとき、前記マットの上面がほぼ水平となり、該上面の端より３０ｃｍ以上離れた内側部分において、前記の各袋体の側面間における前記マットの上面の前記床からの高さの変動で定義する個体平坦性が６ｃｍ以下となるように構成されていることを特徴とする運動用エアートランポリンが記載されている。
【先行技術文献】
【特許文献】
【０００５】
【特許文献１】実用新案登録第３１７６４７８号公報
【発明の概要】
【発明が解決しようとする課題】
【０００６】
しかし、従来の体操マットを数枚重ねる方法では、背落ちした際に着地マットやその下の体操マットがずれてしまい、毎回のようにそれを直す必要があった。また、着地する床面は、ピットと呼ばれるスポンジ状のものが入ったプールになっていることが多く、その上に体操マットを数枚重ねると安定性が悪く、体操マットがずれやすいという問題もあった。さらに、体操マットを数枚重ねること自体が大変な作業でもあった。
【０００７】
一方で、特許文献１に記載された運動用エアートランポリンを転用できれば、上記課題を解決できるとも考えられる。しかし、運動用エアートランポリンは硬く、背落ちの練習には向いていない。そこで、この運動用エアートランポリンの上に着地マットを設置することになるが、そうなると背落ちした際に着地マットがずれてしまい、毎回のようにそれを直す必要が生じてしまう。
【０００８】
そこで、本発明は、簡便に跳馬の練習が可能な跳馬練習用エアマット及びそれを有する跳馬練習セットを提供することを目的とする。
【課題を解決するための手段】
【０００９】
本発明は、内部に空気を導入することでエアマットとして利用可能な本体と、前記本体の内部に空気を導入するための送風口とを有し、
前記本体に空気を導入した状態で水平な床上に設置したとき、前記本体の上面は略水平かつ略四角形であり、
前記本体の上面の周縁部であって前記略四角形を形成する１つの辺に、前記本体の上面より１０ｃｍ以上高いサポート部が設けられており、それと相対する辺は、前記本体の上面と同じ高さである跳馬練習用エアマットである。
【００１０】
また、本発明は、上記の跳馬練習用エアマットと、送風機、着地マット、跳馬、及び踏切板の少なくとも１つとを有する跳馬練習セットである。
【発明の効果】
【００１１】
本発明によれば、簡便に跳馬の練習が可能な跳馬練習用エアマット及びそれを有する跳馬練習セットを提供できる。
【図面の簡単な説明】
【００１２】
【図１】本発明に係る跳馬練習用エアマットの構成例を示す図である。
【図２】本体を構成する袋体の具体例を示す図である。
【図３】高さ調整機構の構成例を示す図である。
【図４】本発明に係る跳馬練習用エアマットの構成例を示す図である。
【図５】本発明に係る跳馬練習用エアマットを用いた跳馬練習をする際の配置例を示す図である。
【発明を実施するための形態】
【００１３】
本発明に係る跳馬練習用エアマットの構成例を図１に示す。図１の跳馬練習用エアマットは、内部に空気を導入することでエアマットとして利用可能な本体１０と、本体１０の内部に空気を導入するための送風口２０とを有しており、図１では、送風機２５を用いて送風口２０から本体１０の内部に空気を導入している状態を示している。そして、本体１０の上面の周縁部であってその略四角形を形成する１つの辺にサポート部１１が設けられており、それと相対する辺は、本体１０の上面と同じ高さになっている。
【００１４】
このようにサポート部１１を設けることで、本体１０の上面に着地マットを設置し、サポート部１１が設けられている辺と相対する辺側から助走をして最終的に背落ちをした際に、サポート部１１がストッパーの役目を果たし着地マットがずれにくくなる。一方、サポート部１１が設けられている辺と相対する辺は、本体１０の上面と同じ高さになっているので、着地マットの設置が容易である。すなわち、簡便に跳馬の練習が可能となる。
【００１５】
本体１０は、内部に空気を導入することでエアマットとして利用可能な構成になっていればよく、その内部は、全体として１つの空間をなしていてもよく、複数（例えば２つ、３つ、又は４つ以上）の空間に区切られていてもよい。本体１０の内部は、密閉状態でもよく、送風機２５を用いて送風口２０から空気を連続的に導入すればエアマットとして利用可能である限りにおいて、外部と連通する隙間を有していてもよい。
【００１６】
また、本体１０の少なくとも一部が、例えば、図１に示すように複数の袋体１で構成されていてもよい。この袋体１の側面には、図２に示すように通気穴２が設けられており、通気穴２が連通するように複数の袋体１の側面を結合させることで本体１０を構成している。こうすることで、送風口２０が設けられている袋体１の内部に空気を導入すると、連通した通気穴２を通じて他の袋体１にも空気が導入され、全体として本体１０がエアマットとして利用可能になる。通気穴２の形状（例：円、楕円等の丸形状、四角形、三角形等の多角形状）、数（例：１〜１０個）、設置位置（例：側面、上面、下面）に関しては、使用する袋体１の数、大きさ、及び組み合わせ方法等を考慮して適宜設定することができるが、例えば、通気穴２の直径は５〜１５ｃｍ程度とすることができ、通気穴２の間隔は５０〜１００ｃｍ程度とすることができる。
【００１７】
本体１０の形状に関しては、本体１０に空気を導入した状態で水平な床上に設置したとき、本体１０の上面が略水平かつ略四角形となっている。本体１０の内部が複数の空間に区切られている場合、その少なくとも一部（例えば、最も上部に位置する空間）に空気を導入した状態で水平な床上に設置したとき、本体１０の上面が略水平かつ略四角形となっていればよい。本体１０は、例えば、ナイロン、ポリエチレン、ポリプロピレン、ポリ塩化ビニル、ポリエステル等の樹脂シートで形成することができる。
【００１８】
本体１０の大きさは、設置場所、使用方法等を考慮して適宜設定することができる。本体１０の幅Ｗは、１００〜４００ｃｍが好ましく、２００〜３００ｃｍがより好ましく、例えば２５０ｃｍとすることができる。本体１０の長さＬは、１００〜６００ｃｍが好ましく、２５０〜４００ｃｍがより好ましく、例えば３２５ｃｍとすることができる。なお、ここでは、本体１０の幅Ｗとは、サポート部１１が設けられている辺の長さをいい、本体１０の長さＬとは、サポート部１１が設けられている辺に隣り合う２つの辺の長さをいう。
【００１９】
本体１０の高さＨは調整可能であることが好ましい。本体１０の高さＨを調整可能とすることで、様々な練習に対応することができる。例えば、図１に示す跳馬練習用エアマットでは、面ファスナーを利用した高さ調整機構４が設けられている。その構成は、図３に示すように、本体１０の側面に面ファスナー（オス）４ａを内側面に設けたカバー５が取り付けられており、さらに面ファスナー（オス）４ａの高さより低い位置に面ファスナー（メス）４ｂが取り付けられている。そして、面ファスナー（オス）４ａと面ファスナー（メス）４ｂとを結合させることで、その高さの差Ｈ３だけ本体１０の高さを低く調整することができる。面ファスナー（メス）４ｂを複数の高さの位置に取り付けておけば、複数の段階で高さを調整することができる。
【００２０】
本体１０の高さＨは、５０〜２００ｃｍが好ましく、９０〜１５０ｃｍがより好ましく、例えば１００ｃｍ、１２０ｃｍ、又は１４０ｃｍとすることができる。なお、ここでは、本体１０の高さＨとは、サポート部１１の高さＨ１を含まない高さをいう。高さ調整機構４により調整可能な高さＨ３（複数の段階で高さ調整が可能な場合は１段階の高さ）は、１０〜３０ｃｍであることが好ましく、例えば２０ｃｍであることができる。
【００２１】
サポート部１１は、背落ちをした際の着地マットのずれを防止するストッパーの役目を果たすものであり、サポート部１１の高さはその機能を発揮するように設定すればよいが、通常は本体１０の上面より１０ｃｍ以上高くする。すなわち、サポート部１１の高さＨ１は、１０ｃｍ以上であることが好ましく、１５〜２５ｃｍであることがより好ましく、例えば２０ｃｍとすることができる。サポート部１１の幅Ｗ１は、１０〜４０ｃｍが好ましく、２０〜３０ｃｍがより好ましく、例えば２５ｃｍとすることができる。
【００２２】
送風口２０は、送風機２５から本体１０の内部に空気を導入可能であればよく、例えば、本体１０の側面から筒状に飛び出した送風口２０とすることができる。送風口２０の先端と送風機２５を空気漏れなく接続するため、送風口２０の先端には面ファスナー（不図示）が設けられていることが好ましい。送風口２０の設置位置は、送風機２５を設置すること等を考慮して適宜設定すればよいが、サポート部１１が設けられている辺と相対する辺を含む本体１０の側面が好ましい。こうすることで、送風機２５を用いて送風口２０から本体１０の内部に空気を連続的に導入する場合でも、送風口２０及び送風機２５を本体と跳馬の間に配置することができ、通常その位置は人が歩いたりしないことから、送風口２０及び送風機２５に躓いたりする可能性が下がる。
【００２３】
特に、本体１０の内部が複数の空間に区切られている場合、そのそれぞれに空気を導入可能な送風口２０が設けられていることが好ましい。例えば、図４に示す跳馬練習用エアマットの構成例のように、本体１０の内部を上下方向に複数の空間（図４では３つの空間２ａ、２ｂ、及び２ｃ）に区切り、そのそれぞれに送風口２０を設けることができる。図４に示す跳馬練習用エアマットは、最上部の空間２ａにのみ空気を導入した状態で使用することもでき、上から２つの空間２ａ及び２ｂに空気を導入した状態で使用することもでき、全ての空間２ａ、２ｂ、及び２ｃに空気を導入した状態で使用することもできる。このように空気を導入する空間を選択することで、本体１０の高さＨを調整することができる。
【００２４】
送風口２０と本体１０の接続部には、内部の空気が外部へ漏れないようにする逆止弁（不図示）が設けられていてもよい。本体１０の内部を密閉状態とした上で、送風口２０と本体１０の接続部に逆止弁を設けることで、本体１０の内部に空気を連続的に導入しなくともエアマットとして利用となる。特に、本体１０の内部が複数の空間に区切られており、空気を導入する空間を選択することで本体１０の高さＨを調整する場合に好適である。
【００２５】
また、本発明では、図１に示すように、本体１０の上面の周縁部であってサポート部１１が設けられている辺に隣り合う２つの辺に、ガイド部１２が設けられていることが好ましい。こうすることで、本体１０の上面に着地マットを設置し、サポート部１１が設けられている辺と相対する辺側から飛んできて背落ちをした際に、ガイド部１２がストッパーの役目を果たし着地マットの横ずれが起きにくくなる。また、着地マットを設置する際のガイドの役目も果たすことができ、着地マットの設置がより容易になる。
【００２６】
ガイド部１２は、背落ちをした際の着地マットの横ずれを防止するストッパーの役目を果たし、かつ着地マットを設置する際のガイドの役目も果たすことが好ましく、ガイド部１２の高さはその機能を発揮するように設定することが好ましいが、通常は本体１０の上面より１０ｃｍ以上高くする。すなわち、ガイド部１２の高さＨ２は、１０ｃｍ以上であることが好ましく、１５〜２５ｃｍであることがより好ましく、例えば２０ｃｍとすることができる。ガイド部１２の幅Ｗ２は、１０〜４０ｃｍが好ましく、２０〜３０ｃｍがより好ましく、例えば２５ｃｍとすることができる。
【００２７】
また、本発明では、図１に示すように、本体１０の内部の空気を排出するための開閉自在な排出口７が設けられていることが好ましい。例えば、チャック状の排出口７とすることで、排出口７は開閉自在となり、好きなタイミングで内部の空気を排出することができるようになる。特に、本体１０の内部を密閉状態とし、送風口２０と本体１０の接続部の近傍に逆止弁を設けた場合には、本体１０の内部の空気を容易に排出することができ、片付けが楽になる。また、図１に示すように、本体１０の側面に、排出口７を覆うカバー８が設けられていることが好ましい。こうすることで、通常の使用時には、チャック状の排出口７をカバー８で覆うことで外部から見えないようにすることができる。
【００２８】
以上のような本発明に係る跳馬練習用エアマットは、基本的に、送風機、着地マット、跳馬、及び踏切板等を組み合わせて使用することになる。送風機は、連続的に空気を送り出すタイプでもよく、断続的に空気を送り出すタイプでもよい。送風機、着地マット、跳馬、及び踏切板は、既存のものを用いることもできるが、本発明に係る跳馬練習用エアマットと、送風機、着地マット、跳馬、及び踏切板の少なくとも１つとを有する跳馬練習セットとすることもできる。
【００２９】
本発明に係る跳馬練習用エアマットを用いた跳馬練習をする際の配置例を図５に示すように、助走方向から、踏切板４０、跳馬３５、及び本体１０の順に配置する。このとき、サポート部１１が設けられている辺と相対する辺を含む本体１０の側面側に、踏切板４０及び跳馬３５を配置する。本体１０の側面に設けられている送風口２０には送風機２５を接続して、例えば跳馬３５と本体１０の間に配置する。この状態で、送風機２５を用いて本体１０の内部に空気を導入し、その上面に着地マット３０を配置する。
【００３０】
こうすることで、競技者は、踏切板４０の手前から助走し、踏切板４０で踏み切り、跳馬３５に手を突いて飛び出し、空中で体を回転させたり捻ったりして、着地マット３０上に背落ちする練習を行うことができる。このとき、サポート部１１がストッパーの役目を果たすため着地マット３０はずれにくく、毎回位置を直したりする必要がないので、効率よく練習をすることができる。
【符号の説明】
【００３１】
１    袋体
２ａ  空間
２ｂ  空間
２ｃ  空間
４    高さ調整機構
４ａ  面ファスナー（オス）
４ｂ  面ファスナー（メス）
５    カバー
７    排出口
８    カバー
１０  本体
１１  サポート部
１２  ガイド部
２０  送風口
２５  送風機
３０  着地マット
３５  跳馬
４０  踏切板
Ｗ    本体の幅
Ｗ１  サポート部の幅
Ｗ２  ガイド部の幅
Ｌ    本体の長さ
Ｈ    本体の高さ
Ｈ１  サポート部の高さ
Ｈ２  ガイド部の高さ
Ｈ３  調整可能な高さ
Ｌ    長さ
【図１】
2015198728.tif 000003
【図２】
2015198728.tif 000004
【図３】
2015198728.tif 000005
【図４】
2015198728.tif 000006
【図５】
2015198728.tif 000007